【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
医用画像化手順の一部として、造影剤の調剤の前に患者の腎臓機能を評価するように適合された医用画像化システムであって、
患者に調剤される造影剤を使用して、該患者の画像を提供するように構成される医用画像化装置と、
該患者に該造影剤を調剤するように構成される調剤装置と、
該患者から生物学的流体サンプルを受け取りかつ分析して、該生物学的流体サンプル中の該造影剤以外の少なくとも１つの物質のレベルを決定するように適合される分析装置であって、該分析装置は、該調剤装置を用いて該造影剤を調剤する前に、システムのオペレータに該少なくとも１つの物質の該レベルについて知らせるように適合され、さらに、該少なくとも１つの物質の該レベルが選択された範囲内にある場合、該オペレータに助言するように適合される分析装置と
を含む、医用画像化システム。
【請求項２】
前記分析装置はさらに、前記少なくとも１つの物質の前記レベルが前記選択された範囲内にある場合、前記造影剤を調剤するように前記オペレータに助言するように適合される、請求項１に記載の医用画像化システム。
【請求項３】
前記分析装置はさらに、前記調剤装置と通信して、該調剤装置に前記少なくとも１つの物質の前記レベルを送るように構成され、該調剤装置はさらに、該少なくとも１つの物質の該レベルを受け取り、該少なくとも１つの物質の該レベルが前記選択された範囲内である場合、前記患者に前記造影剤を調剤するように構成される、請求項１に記載の医用画像化システム。
【請求項４】
前記分析装置は、少なくとも１つの物質の前記レベルを決定するように適合されており、該少なくとも１つの物質は、
血中尿素窒素（ＢＵＮ）、
クレアチニン、または、
それらの組み合わせから成る群から選択される、請求項１に記載の医用画像化システム。
【請求項５】
前記医用画像化装置、前記調剤装置および前記分析装置は、医用画像化室において同じ場所に位置し、これにより医用画像化手順の前に、該医用画像化室において前記少なくとも１つの物質の前記レベル決定するようにされている、請求項１に記載の医用画像化システム。
【請求項６】
前記分析装置はさらに、前記生物学的流体サンプルと流体連絡するように構成される試験装置を含み、それにより、試験装置はさらに、前記選択された範囲に対する前記少なくとも１つの物質の前記レベルについて、前記システムのオペレータに知らせるための視覚的なインディシアを提供するように構成されるようにされている、請求項１に記載の医用画像化システム。
【請求項７】
前記分析装置はさらに、
前記生物学的流体サンプルを受け取り、該生物学的流体サンプルと流体連絡するように構成される試験装置と、
該試験装置を受け取り、該試験装置と作用可能に係合して、該生物学的流体サンプル中の前記少なくとも１つの物質の前記レベルを決定するように構成されるコンピュータ装置と
を含む、請求項１に記載の医用画像化システム。
【請求項８】
前記試験装置はさらに、生物学的流体サンプルコレクション貯槽、前記少なくとも１つの物質と相互作用するように構成される少なくとも１つの試薬、および前記コンピュータ装置と通信するように構成される接続装置を含み、該コンピュータ装置はさらに、該試験装置と通信して該少なくとも１つの物質の該レベルを決定するように構成される、請求項７に記載の医用画像化システム。
【請求項９】
前記コンピュータ装置はさらに、ディスプレイであって、視覚的インディシアを提供して、前記少なくとも１つの物質の前記レベルについて、前記システムのオペレータに知らせるように構成されるディスプレイを含む、請求項８に記載の医用画像化システム。
【請求項１０】
前記コンピュータ装置はさらに、
前記患者に関するデータと、
前記選択された範囲に関するデータと、
それらの組み合わせと
から成る群から選択されるデータを受け取るように構成される入力装置を含む、請求項８に記載の医用画像化システム。
【請求項１１】
前記コンピュータ装置は、前記受け取ったデータおよび前記少なくとも１つの物質の前記レベルを使用して、糸球体濾過レートを計算することができるように構成される、請求項１０に記載の医用画像化システム。
【請求項１２】
医用画像化手順において使用される造影剤を調剤し、該造影剤を調剤する前に患者の腎臓機能を評価するように適合される調剤システムであって、該調剤システムは、
患者に該造影剤を調剤するように構成される調剤装置と、
該患者から生物学的流体サンプルを受け取りかつ分析して、該生物学的流体サンプル中の該造影剤以外の少なくとも１つの物質のレベルを決定するように適合される分析装置であって、該分析装置は、該調剤装置を用いて該造影剤を調剤する前に、システムのオペレータに該少なくとも１つの物質の該レベルについて知らせるように適合され、さらに、該少なくとも１つの物質の該レベルが選択された範囲内にある場合、該オペレータに助言するように適合される分析装置と
を含む、調剤システム。
【請求項１３】
前記分析装置はさらに、前記少なくとも１つの物質の前記レベルが前記選択された範囲内にある場合、前記造影剤を調剤するように前記オペレータに助言するように適合される、請求項１２に記載の調剤システム。
【請求項１４】
前記分析装置はさらに、前記調剤装置と協働するように構成され、それにより、該調剤装置はさらに、前記少なくとも１つの物質の前記レベルを受け取り、該少なくとも１つの物質の該レベルが前記選択された範囲内である場合、前記患者に前記造影剤を調剤するように構成されるようにされている、請求項１２に記載の調剤システム。
【請求項１５】
前記分析装置は、少なくとも１つの物質の前記レベルを決定するように適合されており、該少なくとも１つの物質は、
血中尿素窒素（ＢＵＮ）、
クレアチニン、または、
それらの組み合わせから成る群から選択される、請求項１２に記載の調剤システム。
【請求項１６】
前記調剤装置および前記分析装置は、医用画像化室において、同じ場所に位置し、それにより、医用画像化手順のために前記造影剤を調剤する前に、該医用画像化室において、前記少なくとも１つの物質の前記レベルを決定するようにされている、請求項１２に記載の調剤システム。
【請求項１７】
前記分析装置はさらに、前記生物学的流体サンプルと流体連絡するように構成される試験装置を含み、それにより、該試験装置はさらに、前記システムの前記オペレータに、前記選択された範囲に対する、前記少なくとも１つの物質の前記レベルについて知らせるための視覚的インディシアを提供するように構成されるようにされている、請求項１２に記載の調剤システム。
【請求項１８】
前記分析装置はさらに、
前記生物学的流体サンプルを受け取り、該生物学的流体サンプルと流体連絡するように構成される試験装置と、
該試験装置を受け取り、該試験装置と作用可能に係合して、該生物学的流体サンプル中の前記少なくとも１つの物質の前記レベルを決定するように構成されるコンピュータ装置と
を含む、請求項１２に記載の調剤システム。
【請求項１９】
前記試験装置はさらに、生物学的流体サンプル貯槽、前記少なくとも１つの物質と相互作用するように構成される少なくとも１つの試薬、および前記コンピュータ装置と通信するように構成される伝送装置を含み、該コンピュータ装置はさらに、該試験装置と通信して該少なくとも１つの物質の該レベルを決定するように構成される、請求項１８に記載の調剤システム。
【請求項２０】
前記コンピュータ装置はさらに、ディスプレイであって、視覚的インディシアを提供して、前記少なくとも１つの物質の前記レベルについて、前記システムのオペレータに知らせるように構成されるディスプレイを含む、請求項１９に記載の調剤システム。
【請求項２１】
前記コンピュータ装置はさらに、
前記患者に関するデータと、
前記選択された範囲に関するデータと、
それらの組み合わせと
から成る群から選択されるデータを受け取るように構成される入力装置を含む、請求項１９に記載の調剤システム。
【請求項２２】
医用画像化手順の一部として、造影剤を調剤する前に、患者の腎臓機能を評価するための方法であって、該方法は、
該患者から生物学的流体サンプルを集めることと、
医用画像化室に位置する分析装置を使用して、該患者の該生物学的流体サンプル中の少なくとも１つの物質のレベルを決定することと、
該医用画像化室に位置する該分析装置を使用して、該少なくとも１つの物質の該レベルを、該少なくとも１つの物質のレベルの選択された範囲と比較することと、
該造影剤を調剤する前に、該患者を実質的に正常な腎機能に選別するために、該レベルが該選択された範囲内にあるかどうかについて、該分析装置を用いてオペレータにリアルタイムに助言することと
を含む、方法。
【請求項２３】
前記少なくとも１つの物質の前記レベルが前記選択された範囲内にあることによって前記患者が、前記造影剤を調剤する前に実質的に正常な腎臓機能に選別される場合、該患者に該造影剤を調剤することをさらに含む、請求項２２に記載の方法。
【請求項２４】
前記決定ステップは、前記生物学的流体サンプル中の物質であって、
血中尿素窒素（ＢＵＮ）、
クレアチニン、または
それらの組み合わせから成る群から選択される物質のレベルを決定することをさらに含む、請求項２３に記載の方法。
【請求項２５】
前記少なくとも１つの物質の前記レベルが、前記選択された範囲外にある場合、変更される造影剤が、調剤後に前記患者の腎臓機能によってクリアーされ得るように該変更される造影剤を生成するために、該造影剤の特性を調節することをさらに包含する、請求項２２に記載の方法。
【請求項２６】
前記造影剤の前記特性は、
該造影剤の体積、
該造影剤の配剤レート、
該造影剤の濃度、
該造影剤の型、または
それらの組み合わせから成る群から選択される、請求項２５に記載の方法。
【請求項２７】
医用画像化手順の一部として造影剤を調剤する前に、患者の腎臓機能を評価するために、医用画像化室内に位置する分析装置および調剤装置を制御することのできるコンピュータプログラム製品であって、該コンピュータプログラム製品は、コンピュータ読み取り可能なプログラムコード部を格納したコンピュータ読み取り可能な格納媒体を含んでおり、該コンピュータ読み取り可能なプログラムコード部は、
該分析装置を使用して、該患者から採取される生物学的流体サンプル中の少なくとも１つの物質のレベルを決定するための実行可能部と、
該分析装置を使用して、該少なくとも１つの物質の該レベルを該少なくとも１つの物質のレベルの選択された範囲と比較するための実行可能部と、
該造影剤を調剤する前に、該患者を実質的に正常な腎機能に選別するために、該レベルが、該選択された範囲内にあるかどうかについて、該分析装置を用いてオペレータにリアルタイムに助言するための実行可能部と
を含む、コンピュータプログラム製品。
【請求項２８】
前記少なくとも１つの物質の前記レベルが前記選択された範囲内にあることによって前記患者が、前記造影剤を調剤する前に実質的に正常な腎臓機能に選別される場合、前記調剤装置を使用して、該患者に該造影剤を調剤するための実行可能部をさらに含む、請求項２７に記載のコンピュータプログラム製品。
【請求項２９】
前記少なくとも１つの物質の前記レベルが、前記選択された範囲外にある場合、変更される造影剤が、調剤後に患者の腎臓機能によってクリアーされ得るように該変更される造影剤を生成するために、前記調剤装置を使用して、該造影剤の特性を調節するための実行可能部をさらに含む、請求項２７に記載のコンピュータプログラム製品。
【請求項３０】
前記造影剤の前記特性は、
該造影剤の体積、
該造影剤の配剤レート、
該造影剤の濃度、
該造影剤の型、または
それらの組み合わせから成る群から選択される、請求項２９に記載のコンピュータプログラム製品。
【請求項３１】
前記分析装置は、前記調剤装置を用いて前記造影剤を調剤する前に、前記生物学的流体サンプル中の血中尿素窒素とクレアチニンとのレベルを決定し、該血中尿素窒素とクレアチニンとの該レベルが選択された範囲内にあるかどうかを前記オペレータに知らせるように適合されている、請求項１に記載の医用画像化システム。
【請求項３２】
前記分析装置はさらに、試験装置を含んでおり、該試験装置は、少なくとも１つの試薬を含む生物学的流体サンプルコレクション貯槽を含んでおり、該生物学的流体サンプルコレクション貯槽は、前記生物学的サンプル中の血中尿素窒素とクレチアニンとのレベルを決定するために、該生物学的流体サンプルを受け取り、その結果、該少なくとも１つの試薬が、該生物学的流体サンプルと反応するように構成されるように構成されている、請求項３１に記載の医用画像化システム。